(57)【要約】【課題】給電される電気部品を具備した可動体の移動に支障がなく、省スペースでも配線の処理が確実に行える遊技機の配線処理構造を提供する。【解決手段】配線処理部材２４は、固定部材２２に可動可能に取り付けられる可動ベース部２５と該可動ベース部２５に一体成形された結束部２６とを具備し、結束部２６により接続配線２３が中途位置で可動ベース部２５に結束され、可動体２０の変位に伴う接続配線２３の移動を可動ベース部２５の可動範囲で規制する。【選択図】図４
2010035721.tif 000002
【特許請求の範囲】
【請求項１】
遊技機の固定部材に固定された配線基板と、
前記遊技機の所定箇所に設けられ、給電される電気部品を具備し駆動源によって所定範囲で変位する可動体と、
前記配線基板と可動体との間に配線され前記電気部品に給電する接続配線と、
前記可動体の変位に伴う前記接続配線の配線処理を行う配線処理部材と、を備え、
前記配線処理部材は、前記固定部材に可動可能に取り付けられる可動ベース部と該可動ベース部に一体成形された結束部とを具備し、前記結束部により前記接続配線が中途位置で前記可動ベース部に結束され、前記可動体の変位に伴う接続配線の移動を前記可動ベース部の可動範囲で規制することを特徴とする遊技機の配線処理構造。
【請求項２】
前記結束部は前記可動ベース部の所定部位に可撓性を有する帯状の第１，第２の結束部が所定間隔をあけて一体成形されており、一方の結束部の先端側を他方の結束部に形成された挿入係止部に係止することにより前記接続配線が可動ベース部に結束される請求項１記載の遊技機の配線処理構造。
【請求項３】
前記固定部材と前記可動ベース部とは、いずれか一方に設けられた突起部とその突起部が挿入される他方に設けられた孔との嵌め合いにより可動可能に組み付けられていることを特徴とする請求項１又は２記載の遊技機の配線処理構造。
【請求項４】
前記可動ベース部には、該可動ベース部の板厚より幅広に形成された配線受け部が形成され、該配線受け部に結束された接続配線が受け止められる請求項１乃至３のいずれかに記載の遊技機の配線処理構造。
【請求項５】
前記配線受け部には、結束部によって結束された接続配線のばらつきを規制する規制部が形成されている請求項４記載の遊技機の配線処理構造。
【請求項６】
遊技状態に応じて変位可能に設けられる可動体に請求項１乃至５のいずれか１項に記載の配線処理構造を備えた遊技機。
【発明の詳細な説明】
【技術分野】
【０００１】
本発明は、遊技機の配線処理構造及びこれを備えた遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
遊技盤の遊技領域においては、可変表示装置（液晶表示装置）の周囲に様々な役物が設けられている。例えば遊技状態に応じて発光する可動体が遊技領域内で移動することで視覚的に変化をもたせて、遊技者の注目を引くことで演出効果を高めた様々な遊技機用役物が提案されている。具体的には、表示状態が変化する可変表示装置のほかに位置変化する補助表示装置が設けられていたり（特許文献１）、発光手段を備えた第一可動装飾体に連繋する第一昇降部材と発光手段を備えた第二可動装飾体に連繋する第二昇降部材とが各々昇降することによって、発光する第一，第二可動装飾体が開閉動作したりするようになっている（特許文献２）。
【０００４】
上述した補助表示装置や昇降部材などの可動体には発光手段が設けられており、該発光手段へ給電するケーブルが配線接続されている。可動体の移動に伴って発光手段に接続するケーブルが屈伸するようになっているが、該ケーブルが撓んで可動体と干渉したり他の部材と接触して擦れたりするのを避けるため、様々な配線処理が施されている。
【０００５】
例えば、特許文献１の配線処理は、ケーブルを保持するケーブル保持機構がケーブルの屈伸に応じて可動するようになっている。ケーブルが撓んでくるとケーブル保持機構が回動軸を中心に所定方向へ回転するか或いはケーブルの途中を保持するケーブル保持部材がガイドレールに沿ってスライドしてケーブルの余裕分を逃がすようになっている。
また、特許文献２の配線処理は、第一，第二昇降部材が最も下降した位置で配線コードが弛まないように配線バンドにより固定することで、その後の第一，第二昇降部材の変位により配線コードが撓んで第一，第二昇降部材の移動の妨げとならないようになっている。
【特許文献１】特許第４０６８５２２号公報
【特許文献２】特開２００７−１７５１７４号公報
【発明の開示】
【発明が解決しようとする課題】
【０００６】
しかしながら、上述した特許文献１の配線処理構造は、可動体の移動に伴うケーブルの屈伸に応じてケーブル保持機構が回転するのでケーブルに対して大きな負荷となる。また、常時ケーブルと保持機構等が接触している状態にあるので、ケーブルが擦れて被膜が剥がれ易く、ケーブルが曲げられ、断線する。
【０００７】
また、特許文献２の配線処理構造は、配線コードの先端側が第一昇降部材又は第二昇降部材と保持手段によって保持されたまま垂れ下がった状態で昇降するため、可動体が一旦上昇位置へ移動した後、再度下降位置へ戻る際に配線コードの途中に設けられている配線バンド（配線保持手段）が元の位置（移動前の位置）に戻るという保証はない。
【０００８】
本発明の目的は、給電される電気部品を具備した可動体の移動に支障がなく、省スペースでも配線処理が確実に行える遊技機の配線処理構造及びこれを用いた遊技機を提供することにある。
【課題を解決するための手段】
【０００９】
本発明は上記目的を達成するため、次の構成を備えたことを特徴とする。
遊技機の固定部材に固定された配線基板と、前記遊技機の所定箇所に設けられ、給電される電気部品を具備し駆動源によって所定範囲で変位する可動体と、前記配線基板と可動体との間に配線され前記電気部品に給電する接続配線と、前記可動体の変位に伴う前記接続配線の配線処理を行う配線処理部材と、を備え、前記配線処理部材は、前記固定部材に可動可能に取り付けられる可動ベース部と該可動ベース部に一体成形された結束部とを具備し、前記結束部により前記接続配線が中途位置で前記可動ベース部に結束され、前記可動体の変位に伴う接続配線の移動を前記可動ベース部の可動範囲で規制することを特徴とする。
【００１０】
また、前記結束部は前記可動ベース部の所定部位に可撓性を有する帯状の第１，第２の結束部が所定間隔をあけて一体成形されており、一方の結束部の先端側を他方の結束部に形成された挿入係止部に係止することにより前記接続配線が可動ベース部に結束されることを特徴とする。
【００１１】
また、前記固定部材と前記可動ベース部とは、いずれか一方に設けられた突起部とその突起部が挿入される他方に設けられた孔との嵌め合いにより可動可能に組み付けられていることを特徴とする。
【００１２】
また、前記可動ベース部には、該可動ベース部の板厚より幅広に形成された配線受け部が形成され、該配線受け部に結束された接続配線が受け止められることを特徴とする。
【００１３】
また、前記配線受け部には、結束部によって結束された接続配線のばらつきを規制する規制部が形成されていることを特徴とする。
【００１４】
また、遊技機においては、遊技状態に応じて変位可能に設けられる可動体に上述したいずれかの配線処理構造を備えたことを特徴とする。
【発明の効果】
【００１５】
上述した遊技機の配線処理構造を用いれば、接続配線の移動により発生する張力の変化や撓みの発生を可動ベース部の可動範囲で吸収して接続配線を所定方向へ確実に誘導することができる。よって、配線長の長短や可動体の変位量に応じた配線処理をコンパクトなスペースで行うことができ、可動体に応じて配線処理部材を交換するだけで汎用性のある配線処理が行なえる。
特に、可動ベース部と一体成形された結束部により接続配線が中途位置で結束されるので、配線処理に要する部品点数が少なく接続配線の結束を含めた組み付け作業が簡素化できる。
【００１６】
また、可動ベース部の所定部位に一体成形された可撓性を有する帯状の第１の結束部と第２の結束部とを互いに係止することにより接続配線が結束されるので、接続配線の結束作業が容易に行なえる。また、可動ベース部に対する第１の結束部と第２の結束部の成形位置を変えることで、可動軸と交差する向き若しくは平行に接続配線を結束できるので、配線処理部材の固定部材への組み付け位置の自由度を高めることができる。
【００１７】
また、固定部材と可動ベース部とは、いずれか一方に設けられた突起部とその突起部が挿入される他方に設けられた孔との嵌め合いにより可動可能に組み付けられているので、突起部と孔（円弧，長円，矩形など）の形状を選択して変更するだけで、可動ベース部の可動範囲を変えることができる。これにより、配線に無理な負荷をかけることなく配線数，配線長や配線の撓み量、更には可動体の変位量に応じた適切な配線処理動作が可能となる。
【００１８】
また、可動ベース部の板厚より幅広に形成された配線受け部が形成され、該配線受け部に結束された接続配線が受け止められてガイドされるので、接続配線と可動ベース部との接触や摩擦に起因する断線から保護することができる。
【００１９】
また、配線受け部には、結束された接続配線のばらつきを規制する規制部が形成されていると、当該規制部により結束された接続配線の配線方向に交差する方向へのばらつき（広がり）を防止することができる。
【００２０】
更には、可動体に上述したいずれかの配線処理構造を備えた遊技機においては、省スペースであっても可動体の変位に応じた配線処理が行えるので、接続配線が撓んだり絡まったり他の部材と擦れたりすることがなくなる。よって、遊技機の耐久性が向上するとともに、遊技者の興趣が尽きない多彩な演出を行なうことができる。
【発明を実施するための最良の形態】
【００２１】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。パチンコ機１は、外枠２と遊技盤３が設けられた内枠（図示せず）と、該内枠を覆う前面枠４を備えている。図示しない内枠は、ヒンジ５により外枠２に対して開閉可能に取り付けられている。また前面枠４は内枠に対して開閉可能に取り付けられている（ヒンジ部図示せず）。前面枠４の中央部には遊技者が遊技盤３を透視できる窓部６が設けられている。該窓部６の周囲には装飾部７ａ，７ｂやスピーカー（図示せず）などが設けられる。
【００２２】
また、前面枠４の窓部６の下方には貸球や賞球を貯留し図示しない発射装置へ球を誘導する上球受け皿９ａが設けられ、その下方に上球受け皿９ａの余剰球を貯留する下球受け皿９ｂ、下球受け皿９ｂの左側にタバコの吸殻を収容する灰皿１０、下球受け皿９ｂの右側に遊技盤３に遊技球を打ち出すための発射ハンドル１１が各々設けられている。
【００２３】
遊技盤３の遊技領域内には、中央部に図柄表示装置（液晶表示装置）８を備えたセンター役物１２が設けられ、その周囲には図示しない釘、スルーチャッカー１３、風車１４、電動チューリップ１５、アタッカー１６、レール１７、サイドランプ１８などの盤面部品やアウト口１９などが設けられている。
【００２４】
センター役物１２の構造物には、図柄表示装置８が配置される前方空間部Ｓに遊技状態に応じて可動体２０が上方位置から画面前方の下方位置まで移動可能に設けられている。可動体２０には例えばＬＥＤ２０ｂなどの電気部品が設けられており該電気部品に給電する接続配線２３が接続されている（図４（ａ）参照）。
【００２５】
図４（ａ）において、配線基板２１は、パチンコ機１（具体的には遊技盤３の後方に設けられる保護カバー；図１参照）の固定部材２２に固定されている。配線基板２１には、可動体２０を移動させるモータ、ソレノイドなどに給電する接続配線を接続するコネクタや制御回路などが設けられている。可動体２０と配線基板２１とはコネクタ２０ａとコネクタ２１ａを介して接続配線２３により電気的に接続され、可動体２０の電気部品に給電されるようになっている。可動体２０は、例えば入賞口への入賞やリーチなどの遊技状態に応じて、図柄表示装置８の前方空間部ＳにＬＥＤ２０ｂを発光（点滅）しながら上下方向に所定範囲で変位する（図１参照）。
【００２６】
図４（ａ），（ｂ）において、配線処理部材２４は、可動体２０の変位に伴う接続配線２３の配線処理を行う。具体的には、配線処理部材２４は、固定部材２２に可動可能に取り付けられる可動ベース部２５と該可動ベース部２５の自由端側に一体成形された結束部２６とを具備している。接続配線２３は中途位置で結束部２６により可動ベース部２５に結束されて、可動体２０の変位に伴う接続配線２３の移動を可動ベース部２５の可動範囲で規制するようになっている。
【００２７】
また、図３において固定部材２２にはボス（突起部）２７が突設されている。図２において、可動ベース部２５にはボス２７（図３参照）が挿入される貫通孔２５ａが形成されている。また、可動ベース部２５の自由端側には、結束部２６が一体成形されている。
【００２８】
具体的には、図２において、可動ベース部２５は所定の厚さを有する板部材により形成され、その自由端側は板部材の板厚より幅広に形成された配線受け部２５ｂが設けられている。配線受け部２５ｂには後述するように結束された接続配線２３が受け止められる。これにより、接続配線２３と可動ベース部２５との接触や摩擦に起因する断線から保護することができる。
【００２９】
結束部２６は、可撓性を有する帯状の第１の結束部２６ａ及び第２の結束部２６ｂが配線受け部２５ｂに長手方向及び板厚方向（可動ベース部２５の厚み方向）に所定間隔をあけて配線受け部２５ｂの対角位置に一体成形されている。第１の結束部２６ａは先端が先細り状で片面にローレット部が形成された帯状部材であり、第２の結束部２６ｂは帯状部材の先端部に係止爪２６ｅを有する挿入孔２６ｃが形成された挿入係止部２６ｄが設けられている。図２において、挿入係止部２６ｄは第１の結束部２６ａに向けて延設され、第１の結束部２６ａが結束される位置に係止爪２６ｅを有する挿入孔２６ｃが形成されている。
【００３０】
結束部２６の結束は、第２の結束部２６ｂを湾曲させて挿入係止部２６ｄの挿入孔２６ｃに第１の結束部２６ａを挿入し、係止爪２６ｅが第１の結束部２６ａのローレット部に係止することにより結束部２６をリング状に縮径させて接続配線２３を可動ベース部２５に結束することができる（図４（ａ）（ｂ）参照）。これにより、配線受け部２５ｂ全体で接続配線２３を受け止めることができ、接触や摩擦に起因する断線から保護することができる。
【００３１】
尚、第１の結束部２６ａの先端側に挿入係止部２６ｄを設け、第２の結束部２６ｂを先細りした帯状部材に形成して第１の結束部２６ａを湾曲させて挿入係止部２６ｄと第２の結束部２６ｂを係止するようにしてもよいし、第１，第２の結束部２６ａ，２６ｂを互いに湾曲させて係止することで接続配線２３を結束するようにしてもよい。また、結束部２６の長さは、結束する接続配線２３の結束数によって変更することができる。また、第１，第２の結束部２６ａ，２６ｂどうしを所定間隔あけてかつ長さを異ならせて配置することにより、射出成形時のアンダーカット部をなくして安価に一体成形することができる。
【００３２】
更に、図８乃至図１３に結束部２６の他の形態について説明する。図８において、挿入係止部２６ｄが可動ベース部２５に設けられている。また、帯状の第１の結束部２６ａが配線受け部２５ｂの板厚方向一端側中央部に突設されている。図９において、接続配線２３を配線受け部２５ｂに押さえつつ第１の結束部２６ａが配線受け部２５ｂを跨いで先端側を挿入係止部２６ｄと係止することにより、接続配線２３を配線受け部２５ｂに沿って結束されている。
【００３３】
また、図８，図９は、第１の結束部２６ａと挿入係止部２６ｄが１箇所に設けられていたが、図１０に示すように複数箇所に設けられていてもよい。図１０において、可動ベース部２５に挿入係止部２６ｄが所定間隔をおいて２箇所に設けられ、配線受け部２５ｂの板厚方向一端側に帯状の第１の結束部２６ａが所定間隔をおいて２箇所に突設されている。このような構成にすることにより、接続配線２３を配線処理部材２４に安定して固定でき、より確実な配線処理が行える。
【００３４】
また、図１１において、帯状の第１の結束部２６ａが配線受け部２５ｂの板厚方向一端側中央部に突設されている。挿入係止部２６ｄは配線受け部２５ｂを板厚方向他端側に延設した鍔部２５ｃに設けられている。図１２において、接続配線２３を配線受け部２５ｂに押さえつつ第１の結束部２６ａが配線受け部２５ｂを跨いで先端側を鍔部２５ｃに形成された挿入係止部２６ｄと係止することにより、接続配線２３を配線受け部２５ｂに沿って結束されている。
【００３５】
また、図１１，図１２は、第１の結束部２６ａと挿入係止部２６ｄが１箇所に設けられていたが、図１３に示すように複数箇所に設けられていてもよい。図１３において、配線受け部２５ｂを板厚方向他端側に延設した鍔部２５ｃには挿入係止部２６ｄが所定間隔をおいて２箇所に設けられ、配線受け部２５ｂの板厚方向一端側に帯状の第１の結束部２６ａが所定間隔をおいて２箇所に突設されている。このような構成にすることにより、接続配線２３を配線処理部材２４に安定して固定でき、より確実な配線処理が行える。
【００３６】
以上のように配線受け部２５ｂ（鍔部２５ｃ）又は可動ベース部２５に挿入係止部２６ｄを設ける構成にすることにより、配線受け部２５ｂ，鍔部２５ｃ又は可動ベース部２５は十分な剛性があり安定した形態をしているため、片手で接続配線２３を配線受け部２５ｂに押さえながら第１の結束部２６ａを挿入係止部２６ｄと係止して接続配線２３を結束することができ、作業効率を向上させることができる。
【００３７】
また、図３において、可動ベース部２５は、貫通孔２５ａに固定部材２２に突設されたボス２７を挿入して回動可能（正逆いずれの方向にも回転可能）に組み付けられ、貫通孔２５ａより露出するボス孔２７ａに、止めねじ２８を座金付で嵌め込んで抜け止めされる。尚、可動取付部２５は、止めねじ２８を用いることなく突起部（ボス２７）の先端に他の部品を当接させて抜け止めされていてもよい。また、可動ベース部２５に突起部が設けられ固定部材２２側に設けられた孔と回動可能に嵌め合う構造でもよい。
【００３８】
図４（ａ）は可動体２０が上位置にある状態を示す。接続配線２３は、可動軸（ボス２７；図３参照）と交差する向きに可動ベース部２５の配線受け部２５ｂに沿って結束されている。可動体２０と配線基板２１とを接続する接続配線２３は、配線処理部材２４によって左斜め上方に向けてガイドされている。このとき可動ベース２５は、垂下した位置を中立位置とすればかかる中立位置よりボス２７（図３参照）を中心として所定量時計回り方向へ回転した状態にある。
【００３９】
図４（ｂ）において、可動体２０が下位置へ移動すると、比較的張力が作用していた接続配線２３に余裕ができて撓みが生ずる。この接続配線２３の撓み分は、配線処理部材２４の移動により吸収される。即ち、可動ベース部２５はボス２７（図３参照）を中心として中立位置より反時計回り方向へ所定量回転した状態にある。
【００４０】
よって、配線長の長短や可動体の変位量に応じた配線処理をコンパクトなスペースで行うことができ、可動体２０に応じて配線処理部材２４を交換するだけで汎用性のある配線処理が行なえる。
特に、可動ベース部２５と一体成形された結束部２６により接続配線２３が中途位置で結束されるので、配線処理に要する部品点数が少なく接続配線２３の結束を含めた組み付け作業が簡素化できる。
【００４１】
次に、配線処理部材２４の他例について図５を参照して説明する。
図５において、可動ベース部２５の自由端側には板厚が幅広（厚い）に形成された配線受け部２５ｂが設けられている。また、配線受け部２５ｂには、結束部２６によって結束された接続配線２３のばらつきを規制する規制部（リブ）２９が接続配線２３に沿った形で形成されている。このリブ２９の高さは、結束部２６によって束ねられる配線数（ピン数）に応じて変更するのが好ましい。
【００４２】
図５において、接続配線２３が結束部２６により可動ベース部２５に結束されると当該結束部がリブ２９間に形成される配線受け部２５ｂに受け止めされるようになっている。これにより、結束された接続配線２３の配線方向に交差する方向へのばらつき（広がり）を防止することができる。
【００４３】
次に配線処理部材２４の他例について図６及び図７を参照して説明する。
配線処理部材２４の基本的な構成は、図２と同様である。図７において、可動ベース部２５に対する第１の結束部２６ａと第２の結束部２６ｂの成形位置が変更されている。即ち、図２は結束部２６が可動軸（ボス２７；図３参照）と交差する向きに接続配線２３を結束するようになっていたが、図６では可動軸と平行に接続配線２３を結束できるように配線受け部２５ｂに第１の結束部２６ａと第２の結束部２６ｂとが一体成形されている。
【００４４】
図７において、第２の結束部２６ｂを湾曲させて挿入係止部２６ｄの挿入孔２６ｃに第１の結束部２６ａを挿入して係止することにより結束部２６がリング状に縮径して接続配線２３が可動ベース部２５の配線受け部２５ｂに沿って結束される。このとき接続配線２３は、可動軸（ボス部２７；図３参照）と平行となる向きで可動ベース部２５の配線受け部２５ｂに沿って結束されている。
これにより、配線スペースや固定部材２２の形状に応じて配線処理部材２４を選択することで、固定部材２２（図４（ａ）参照）への組み付け位置の自由度を高めることができる。
【００４５】
尚、固定部材２２と可動ベース部２５とは、ボス２７と貫通孔２５ａの嵌め合いにより連繋していたがこれに限定されることなく、突起部と孔（円弧，長円，矩形など）の形状を選択して変更するだけで、可動ベース部２５の可動範囲を変えることができる。これにより、配線に無理な負荷をかけることなく配線数，配線長や配線の撓み量、更には可動体の変位量に応じた適切な配線処理動作が可能となる。
【００４６】
例えば貫通孔２５ａが長孔形状に形成されており、回動に加えてスライド（直線）運動するようになっていてもよいし、可動取付部２５に突起部が設けられ固定部材２２側に孔が設けられて回動可能かつスライド可能に嵌め合う構造でもよい。
また、貫通孔２５ａが矩形孔状に形成され、ボス部２７の形態も角柱状に形成されており、スライド（直線）運動するようになっていてもよいし、可動取付部２５に突起部が設けられ固定部材２２側に孔が設けられてスライド可能に嵌め合う構造でもよい。
【００４７】
尚、上記発明実施の形態では、可動体２０が上下動する場合について例示したが、これに限らず回転運動や回転と往復動の組み合わせでも良く、或いは開閉するものであってもよい等様々な動作をする可動体２０について適用することができる。
また、遊技機の一例としてパチンコ機について説明したが、他に例えばアレンジボール遊技機、パチスロ遊技機、雀球遊技機等の他の遊技機に設けられる可動体の配線処理構造にも適用できる。
【図面の簡単な説明】
【００４８】
【図１】遊技機の正面図である。
【図２】配線処理部材の正面図、右側面図、底面図、斜視図である。
【図３】配線処理部材の分解斜視図である。
【図４】配線処理部材の可動体の変位前後における配線処理動作を説明する状態図である。
【図５】他例に係る配線処理部材の結束状態の斜視図である。
【図６】他例に係る配線処理部材の正面図、右側面図、底面図、斜視図である。
【図７】図６の配線処理部材の結束状態の斜視図である。
【図８】他例に係る配線処理部材の正面図、右側面図である。
【図９】図８の配線処理部材の矢印Ａ−Ａ断面図、結束状態の断面図である。
【図１０】図８の他例に係る配線処理部材の斜視図、結束状態の斜視図である。
【図１１】他例に係る配線処理部材の正面図、左側面図、底面図である。
【図１２】図１０の配線処理部材の矢印Ａ−Ａ断面図、結束状態の断面図である。
【図１３】図１１の他例に係る配線処理部材の斜視図、結束状態の斜視図である。
【符号の説明】
【００４９】
Ｓ  前方空間部
１  遊技機
２  外枠
３  遊技盤
４  前面枠
５  ヒンジ
６  窓部
７ａ，７ｂ  装飾部
８  図柄表示装置
９ａ  上球受け皿
９ｂ  下球受け皿
１０  灰皿
１１  発射ハンドル
１２  センター役物
１３  スルーチャッカー
１４  風車
１５  電動チューリップ
１６  アタッカー
１７  レール
１８  サイドランプ
１９  アウト口
２０  可動体
２１  配線基板  
２０ａ，２１ａ  コネクタ  
２０ｂ  ＬＥＤ
２２  固定部材  
２３  接続配線  
２４  配線処理部材  
２５  可動ベース部
２５ａ  貫通孔  
２５ｂ  配線受け部  
２５ｃ  鍔部
２６  結束部
２６ａ  第１の結束部  
２６ｂ  第２の結束部  
２６ｃ  挿入孔  
２６ｄ  挿入係止部
２６ｅ  係止爪
２７  ボス（突起部）  
２７ａ  ボス孔  
２８  止めねじ  
２９  規制部（リブ）
【図１】
2010035721.tif 000003
【図２】
2010035721.tif 000004
【図３】
2010035721.tif 000005
【図４】
2010035721.tif 000006
【図５】
2010035721.tif 000007
【図６】
2010035721.tif 000008
【図７】
2010035721.tif 000009
【図８】
2010035721.tif 000010
【図９】
2010035721.tif 000011
【図１０】
2010035721.tif 000012
【図１１】
2010035721.tif 000013
【図１２】
2010035721.tif 000014
【図１３】
2010035721.tif 000015